(57)【要約】【課題】  自然落下による少ない水量及び水流，水圧でリントフィルタを洗浄することによりリントフィルタの自動洗浄ができる洗濯機を提供することを目的とする。【解決手段】  本発明は、洗濯水に含まれているリントを捕集し、リントフィルタを自動的に洗浄するため、リントフィルタを洗浄槽の下部に配置し、リントフィルタを構成するフィルタには半球状の網目をした繊維を使用し、網目の大きさは、洗濯物を構成している繊維が直接覗かない程度の網目の大きさとして、洗濯水が通り易くし、リントフィルタの洗浄時にはリントフィルタの上部に滞留した洗濯水が排水電磁弁を開くことにより循環時とは逆方向に流れることを利用して、少ない水量及び水流，水圧でリントフィルタを洗浄するようにしたものである。これにより、フィルタを洗濯やすすぎ時に毎回リントフィルタの掃除を自動的に行うことを特徴とする。【選択図】図１
2009232922.tif 000002
【特許請求の範囲】
【請求項１】
外枠の中に設けられ洗濯槽を納める外槽と、循環ポンプ，リントフィルタ，注水口を有し洗濯水を循環させる循環経路と、前記循環ポンプと前記リントフィルタ間の経路に接続され排水電磁弁及び排水ホースを有する経路と、前記注水口の位置より前記リントフィルタの設置位置を低くした洗濯機において、
前記リントフィルタの洗浄時は循環ポンプを停止し、前記排水弁を開にし、循環経路の洗濯水を循環時と逆方向に流し、リントフィルタを洗浄することを特徴とする洗濯機。
【請求項２】
請求項１記載の洗濯機において、前記注水口の水位より低い位置の循環経路に貯水部を設けたことを特徴とする洗濯機。
【請求項３】
請求項１又は請求項２記載の洗濯機において、前記リントフィルタは外周を樹脂モールドし上部ケースと下部ケースにより挟持し、先端を半球状の網目を有する袋状とし、洗濯水の流れ方向に裏返し移動できるようにしたことを特徴とする洗濯機。
【請求項４】
請求項１，２又は３において、前記リントフィルタ洗浄時に排水弁を開とした後に循環ポンプを停止したことを特徴とする洗濯機。
【請求項５】
外枠の中に設けられ洗濯槽を納める外槽と、循環ポンプ，リントフィルタ，注水口を有し洗濯水を循環させる循環経路と、前記循環ポンプと前記リントフィルタ間の経路に接続され排水弁及び排水ホースを有する経路と、前記注水口の位置より前記リントフィルタの設置位置を低くした洗濯機において、
前記リントフィルタ洗浄時は排水弁を開とし循環ポンプをＯＮ−ＯＦＦすることを特徴とする洗濯機。
【発明の詳細な説明】
【技術分野】
【０００１】
本発明は、リントフィルタを有する洗濯乾燥機において、乾燥時に洗濯物から発生する布屑や綿塵などを捕集するリントフィルタを自動的に掃除を行い除去する機構を備えた洗濯機に関する。
【背景技術】
【０００２】
従来技術として、例えば特開２０００−２４３８５号公報（特許文献１）に記載の技術がある。この従来技術は、外槽の底部に滞留している洗浄水を循環ポンプによりリントフィルタに供給し、リントを除去した洗濯水を洗濯槽に供給し、循環するものである。また、リントフィルタは円筒形または平面形状に配置された捕集フィルタを有し、その内側から外側に給水口から供給された洗濯水とは別の洗浄水を流すことにより内側に洗浄水に含まれるリントを捕集し、捕集フィルタの洗浄時は逆方向すなわち外側から内側に洗浄水を流すことにより内側に堆積したリントを切換弁で排水することにより洗浄している。
【０００３】
【特許文献１】特開２０００−２４３８５号公報
【発明の開示】
【発明が解決しようとする課題】
【０００４】
上記特許文献１に記載されているリントフィルタは円筒形または平面形状をしており、細かいリントを除去するために目の細かいフィルタの周りに補強材で、その表面を補強したリントフィルタを使用してリントの捕集を行っている。リントフィルタの洗浄は洗濯水とは別の洗浄流体を洗濯水の方向と逆方向から流して洗浄している。また、リントフィルタの目が細かいので、ある程度水流の圧力を大きくする必要があり、外枠の寸法範囲における自然落下による小さい圧力の水流では洗浄ができなかった。
【０００５】
本発明は、上記の課題に鑑み、自然落下による少ない水量及び水流，水圧でリントフィルタを洗浄することによりリントフィルタの自動洗浄ができる洗濯機を提供することを目的とする。
【課題を解決するための手段】
【０００６】
本発明は、外枠の中に設けられ洗濯槽を納める外槽と、循環ポンプ，リントフィルタ，注水口を有し洗濯水を循環させる循環経路と、前記循環ポンプと前記リントフィルタ間の経路に接続され排水電磁弁及び排水ホースを有する経路と、前記注水口の位置より前記リントフィルタの設置位置を低くした洗濯機において、前記リントフィルタの洗浄時は循環ポンプを停止し、前記排水電磁弁をＯＮにし、循環経路の洗濯水を循環時と逆方向に流し、リントフィルタを洗浄することを特徴とする。
【発明の効果】
【０００７】
本発明によれば、リントフィルタの洗浄はフィルタを通過したリントが除去された洗濯水により、洗濯及びすすぎの工程ごとに排水時にフィルタの洗浄を自動的に自然落下による少ない水量及び水流，水圧でフィルタを洗浄することができる。
【発明を実施するための最良の形態】
【０００８】
以下、本発明の実施形態に係わる実施例について、図を引用して説明する。
【０００９】
図１は本発明の実施に係るもので、全自動洗濯機の内部構成を示す図である。外枠１の下部にはベース２を有し、ベース２には４隅に脚部３が取付けられており、床４と直接接して全自動洗濯機本体を支えている。外枠１の上部には蓋５が開閉自在に取付けられている。外槽６は吊棒７により外枠１に吊り下げられている。外槽６の内側には洗濯槽８が回転自在に取付けられている。洗濯槽８の上部には流体バランサ９が取付けられている。洗濯槽８の底部にはパルセータ１０が備えられ、これを回転することにより洗濯槽８の中に入れられた洗濯物１１の汚れを機械的に洗浄する。また、洗濯槽８の側面には脱水時に洗濯物１１に含まれている洗濯水を脱水するために脱水穴１２が複数個あけられている。パルセータ１０は駆動用モータ１３の回転数を減速機１４により減速され、回転数を毎分９０〜１２０回転で回転される。
【００１０】
洗濯に必要な洗濯水は注水ホース接続口１５に水道の蛇口に接続された注水ホース（図示せず）を接続し、給水電磁弁１６をＯＮすなわち開くことにより給水口１７より洗濯槽８に給水される。洗濯水は所定の水位になると水位センサー（図示せず）により検知して給水電磁弁１６をＯＦＦすなわち閉にして給水を停止する。外槽６の底部には洗濯水を循環させるために循環ポンプ１８が取付けられている。循環ポンプ１８の出口１９にはリント（糸屑）を捕集するためのリントフィルタ２０が備えられ、循環経路２１を通って注水口２２から洗濯水を循環する経路と排水電磁弁２３を通って排水ホース２４から排水する経路に分技されている。洗濯及びすすぎの時の水位をＨｓ、リントフィルタ２０の取付け高さをＨｆとしている。排水電磁弁２３は洗濯及びすすぎのときはＯＦＦすなわち閉じられている。排水時には排水電磁弁２３はＯＮすなわち開いて排水ホース２４を通して洗濯水及びすすぎ水を機外に排出する。
【００１１】
図２は本発明の実施例に係るもので、全自動洗濯機の運転工程を示すブロック図である。
【００１２】
以下図をもとに、この運転工程の説明を行う。自動運転の運転開始スイッチ（図示せず）がＯＮされると給水電磁弁１６がＯＮして、給水３０が行われる。このとき、排水電磁弁２３はＯＦＦとなっている。洗濯３１及びすすぎ３４に必要な所定の水位まで給水がされると給水電磁弁１６はＯＦＦして給水が停止し、洗濯３１に移行し駆動用モータ１３が回転し、パルセータ１０の回転が行われる。このときの、パルセータ１０の回転数は毎分９０〜１５０回転で休止を挟んで正転及び反転を交互に繰り返し回転させている。洗濯３１およびすすぎ３４時では、パルセータ１０の回動による機械力で洗濯物１１に付着した汚れが除去される。その後、洗濯３１を終了し、排水３２に移行する。排水３２では洗濯槽８の下部に配置された排水電磁弁２３をＯＮにして洗濯水を排水ホース２４から排水する。排水３２が完了すると脱水３３に移行する。脱水３３では洗濯槽８を毎分７００〜１０００回転させ、洗濯物１１に含まれている洗濯水を遠心力により洗濯槽８の内壁に設けられた脱水穴１２より脱水する。脱水３３が終了するとすすぎ３４に移行する。すすぎ３４に入る前に、洗濯３１と同じように洗濯水を供給する給水３０により、すすぎ３４に必要な洗濯水が洗濯槽８の中に供給される。所定の洗濯水が供給されるとすすぎ３４が自動的に進行し、洗濯物１１に含まれている洗剤を給水された清水で希釈し、排水３２Ｂに移行する。排水３２Ｂが終了すると脱水３３Ｂに移行し、給水３０Ｃが行われ二回目のすすぎ（２）３４に移行する。
【００１３】
すすぎ（２）３４が終了すると排水３２Ｃに移行し、排水３２Ｃが終了すると最終脱水３５に移行する。
【００１４】
最終脱水３５はすすぎ（２）３４の脱水より運転時間を長く、工程中の脱水よりも回転数を高くしている。これにより脱水率を６０〜７０％程度としている。
【００１５】
図３は本発明の実施例に係るもので、リントフィルタ２０の縦断面図を示す。
【００１６】
リントフィルタ２０は上部ケース４０と下部ケース４１により構成されている。上部ケース４０と下部ケース４１は水密性を保つため、両方のケースに設けられた凹部溝４２にＯリング４３を介在させて、ネジ４４で締付け固定している。また、上部ケース４０と下部ケース４１の内周に設けられた溝によりフィルタ４５が上下できるように若干の間隙をもって挟持されている。挟持部に間隙を設けることにより、凹部溝４２の上下方向の寸法は両方のケースにおける寸法精度だけで決まり、フィルタ４５の挟持の高さ方向による影響を受けない。
【００１７】
フィルタ４５は網目を構成した織物を使用し、その外周を樹脂モールドにより成型している。網目の大きさは洗濯物１１の繊維の太さより細かい網目とし循環ポンプ１８による循環水が十分通る網目の大きさを使用している。
【００１８】
これにより網目に繊維間に入り込んでとり難くなることを防止し、循環水量を確保している。また、フィルタ４５は循環する洗濯水の通過面積を大きくするため、先端部が略球状の袋構造としている。
【００１９】
洗濯水を循環させると水流は矢印Ａの方向に流れ、洗濯水に含まれるリント（糸屑）４６は流速が早い中央部から外周に向かって堆積する。
【００２０】
フィルタ４５の外径をφＤ（mm）、高さをＨ（mm）とすると、
０＜Ｈ＜Ｄ／２
とすることによりフィルタ４５は少ない水量と圧力により裏返しし易くなりリント（布屑）４６をフィルタ４５から剥離し、取れ易くすることができる。Ｈ＝０のときは平板状となりＨ＞Ｄ／２のときは吹流し状となり裏返しし難くなる。
【００２１】
また、フィルタ４５はリントフィルタ２０を自動洗浄方式としているので長寿命が要求される。このため、本実施例では使用材料は機械強度が大きい耐久性のあるアラミド繊維を主体とした材料を使用している。
【００２２】
市販の材料としてはケプラー及びザイロンが適しているが使用時間及び耐久性が比較的短くても良い場合ではナイロン及びポリエステルの繊維を使用してもよい。
【００２３】
リントフィルタ２０の洗浄について、図１から図３をもとに以下説明をする。
【００２４】
図１において、全自動運転ボタン（図示せず）がＯＮされると、給水電磁弁１６がＯＮして給水３０が行われ、所定の水位２５に到達すると駆動用モータ１３が回転し、パルセータ１０を回転し洗濯３１が行われる。ほぼ同時に循環ポンプ１８がＯＮして洗濯水がリントフィルタ２０を通って注水口２２から洗濯槽８に循環される。
【００２５】
洗濯３１が終了すると循環ポンプ１８を停止し、排水電磁弁２３をＯＮして排水を行う。循環ポンプ１８が停止した時点で、注水口２２の大気部分の洗濯水は洗濯槽８内に落下し、注水口２２から循環経路２１間にある洗濯水は注水口２２から循環経路２１を通って循環ポンプ１８を通って洗濯槽８の底部にＨｓの水位まで逆方向に流れる。このときの水流でフィルタ４５が裏返しになり表面に付着していたリント４６が剥離する。この後、排水電磁弁２３がＯＮして洗濯水と一緒にリント４６が排水ホース２４を通して機外に排出される。このとき、リントフィルタ２０の洗浄に使用される洗浄水は注水口２２から循環経路２１間にある洗濯水だけなので少量で水位の落差も注水口２２と洗濯水位Ｈｓの差となっているため小さい。また、循環ポンプ１８が停止した後十分時間が経過すると循環経路２１の中の水量は洗濯水に比較してきわめて少ないので洗濯水位のＨｓとなる。リントフィルタ２０の高さがＨｆなのでこの状態で排水電磁弁２３をＯＮすると洗浄に使用される水位はＨｓ−Ｈｆとなりかなり少なくなるがこの状態でフィルタ４５は裏返しするようにできている。
【００２６】
この水量及び水圧を増加させるための有効な手段としては、循環ポンプ１８が停止する前に排水電磁弁２３をＯＮすることにより達成することができる。すなわち、排水電磁弁２３をＯＮすることにより水位の下限は排水ホース２４の位置すなわち床面の位置となる。循環ポンプ１８を停止した時点で落差は注水口２２と床面の差となり、洗浄水量も注水口２２とリントフィルタ２０の高さとの差となり水量及び水圧を大幅に増加できる。
【００２７】
この動作は洗濯３１及びすすぎ３４の終了後の排水動作で毎回フィルタ４５の洗浄が実行される。このため、洗濯やすすぎ工程における一回あたりのフィルタ４５で捕集されるリントの捕集量を少なくすることができるので小さな容量のフィルタ４５を使用することができる。
【００２８】
フィルタ４５の構造は少ない水量と水流，水圧により洗浄し易くするため、先端部を半球状の袋状とすることにより捕集の表面積を円盤形状より増加させた。
【００２９】
また、網目状の織物を使用することにより可撓性がよくして少ない水量と水流，水圧に追随してフィルタ４５が裏返しになるようにして表面に付着したリント（布屑）４６に機械的に力が加わり確実に分離，除去できるようにした。
【００３０】
図４にリントフィルタ２０の上部に貯水部５０を設けた部分図を示す。
【００３１】
基本的な動作については前記したリントフィルタ２０の動作と同じである。また、貯水部５０の高さＨｃは洗濯水位Ｈｓより高くしている。これにより、排水電磁弁２３がＯＮすることにより貯水部５０に蓄えられた洗濯水をフィルタ４５の洗浄水として有効に使用することができる。
【００３２】
このため、貯水部５０による水量の増加によりリント（布屑）４６が多いときでもリントフィルタ２０の洗浄ができる。
【００３３】
なお、リントフィルタ２０の内部に配設してあるフィルタ４５の循環水が流れる下流側のフィルタケース４０の体積を上流側のフィルタケース４１より大きくしても貯水部５０を設けたものと同じ効果を得ることができる。
【００３４】
リントフィルタ２０の洗浄は水量を多く取れるので循環ポンプ１８をＯＦＦした状態で排水電磁弁２３をＯＮしている。
【００３５】
図５は本発明の実施例に係わる、ドラム式洗濯機に応用したときの縦断面図を示す。
【００３６】
ドラム式洗濯機の外枠５１の内側には外槽５２が備えられ、下部は複数個のサスペンション５３により、支持され、上部はヒキバネ５４により支持されている。サスペンション５３は外槽５２の全重量を支持するものであり強固な構成でできており、また脱水運転時に外槽５２の上下振動を吸収し、脱水起動時に外槽５２の異常振動を防止するための減衰機構などが設けられている。
【００３７】
また、外槽５２の上部から支持しているヒキバネ５４は外槽５２の倒れ防止を兼ねた支持や脱水時の上下，左右振動を低減するために設けられている。
【００３８】
洗濯やすすぎ時には、水道の蛇口に接続された給水ホース５５から給水電磁弁１６に接続されており、給水電磁弁１６の操作により注水ホース５７から洗剤投入ケース５８に洗濯やすすぎに必要な水が供給される。
【００３９】
給水された水は、外槽５２の底部に洗濯水として、またすすぎ時にさすすぎ水として溜められている。
【００４０】
また、洗剤投入ケース５８には、洗濯に必要な洗剤を投入し、すすぎ時洗濯物１１の仕上がりを良くするための柔軟仕上げ剤が投入されている。
【００４１】
洗濯時は、注水ホース５７から供給された水が洗剤投入ケース５８内で洗剤を溶かしながら外槽５２の上部からフレキシブルホース５９を介在して投入される。
【００４２】
外槽５２に包括された回転ドラム６０には、蓋６１を開け投入された洗濯物１１があり回転ドラム６０の開口部の外周には脱水時の振動を低減するための流体バランサ６２が設けられている。
【００４３】
回転ドラム６０の内周には脱水時洗濯物１１に含まれている水分を回転ドラム６０の高速回転により遠心力で外槽５２へ脱水するための脱水穴６３が複数個設けられている。また、回転ドラム６０には、洗濯時に回転ドラム６０の回転により洗濯物１１が、掻き揚げられるように数本のリフター６４が設けられている。回転ドラム６０は主軸６５を介在してフランジ６６に取付けられたＤＣブラシレスモータ６７に接続されている。外槽５２の開口部と外枠５１の開口部は弾性体なるゴム系のベローズ６８により接続されている。このベローズ６８は蓋６１の内側外周面と接しており水蜜性を維持しているために、洗濯やすすぎ時での水漏れの防止が図られている。
【００４４】
外槽５２の底部には洗濯水を循環させるために循環ポンプ１８が取付けられている。循環ポンプ１８の出口１９にはリント（糸屑）を捕集するためのリントフィルタ２０が備えられ、循環経路２１を通って注水口２２から洗濯水を循環する経路と排水電磁弁２３を通って排水ホース２４から排水する経路に分技されている。
【００４５】
洗濯及びすすぎの時の水位をＨｓ、リントフィルタ２０の取付け高さをＨｆとしている。外槽５２，注水口２２，循環経路２１，リントフィルタ２０，循環ポンプ１８，排水電磁弁２３，排水ホース２４の配置は前記全自動洗濯機と同じ構成をしており、リントフィルタ２０の洗浄も同様に洗濯及びすすぎ時に行うので動作，作用についての説明は省略する。
【００４６】
リントフィルタ２０の取付け姿勢については本実施例では縦方向としているがリント（布屑）４６の洗浄は洗浄時の水量及び水流による機械力で行っているので横方向としても何ら支障はない。
【００４７】
縦方向の場合は、リント（布屑）４６の捕集側と排水電磁弁２３を直線配置できるのでリント（布屑）４６が排水され易い。
【００４８】
本発明のリント（布屑）４６の洗浄方式は注水口２２とリントフィルタ２０の間である循環経路２１の配管内の洗浄水を使用しているので少ない水量の水流で洗浄を行うことができる。また、洗濯３１及びすすぎ３４の工程で毎回自動で洗浄を行うことができるので一回あたりのリント４６の捕集量が低減できるのでリントフィルタ２０を小型化できるとともにメンテナンスフリー化ができ使い勝手がよくなり、リントフィルタ２０を外枠１内に内蔵できるので、前面部にリントフィルタ２０を設ける必要がなく、取付け構造の簡素化及び前面パネル部のデザインの自由度を大きくすることができる。
【００４９】
なお、本発明の実施例には洗濯機としているが洗濯乾燥機でも支障なく使用することができ、内部のスペースに余裕がない洗濯乾燥機ではリントフィルタ２０を小型で底部であれば任意の位置に設置することができるので狭いスペースの洗濯乾燥機には設計の自由度を大きくすることができるので好適である。
【００５０】
次に、図６，図７，図８，図９，図１０を基に、自動リント洗浄方式を更に詳細に説明する。
【００５１】
先ず、図６は洗濯３１やすすぎ３４において、洗い水およびすすぎ水が循環ポンプ１８の運転動作により循環しながらリントフィルタ２０を通過して、注水口２２から洗濯槽８の中に供給し、循環する状態を示す部分縦断面図である。
【００５２】
洗濯３１やすすぎ３４において、洗濯槽８の中央底部に配設されているパルセータ１０が駆動用モータ１３の運転により、休止をおいて左右に回動して洗濯物１１に機械力を加えて洗濯物１１に付着した汚れを洗剤の化学力の助けを借りながら落とす。
【００５３】
この時、洗濯物１１に付着した汚れを落とすと共に、洗濯物１１にはパルセータ１０からの機械力により、洗濯物１１を構成している繊維の表面から繊維で構成される布屑や糸屑であるリント４６が洗濯やすすぎ水２５に流出する。この流出したリント４６が洗濯物１１の表面に再付着して最終脱水３５の終了後における洗濯物１１の仕上がりを悪くしている。
【００５４】
このため、洗濯３１やすすぎ３４では排水電磁弁２３をＯＦＦした状態で循環ポンプ１８を運転し、循環ポンプ１８と循環経路２１との間に配設したリントフィルタ２０を通過させて、注水口２２から洗濯槽８内へ循環しリント４６を捕集する構成としている。
【００５５】
図７は、リントフィルタ２０の縦断面図を示す。循環ポンプ１８が運転している時には水流は矢印Ａの方向に連続的な流れ、リントフィルタ２０の内部に設けられたフィルタ４５は矢印Ａの水流と同じ方向に向き、上に凹となった状態でフィルタ４５によりリント４６を捕集できる構成となっている。
【００５６】
図８は循環ポンプ１８，排水電磁弁２３及び駆動用モータ１３の運転チャート図を示す。洗濯３１・すすぎ３４時では、排水電磁弁２３をＯＦＦ状態として、休止をおいて右回転，左回転に駆動用モータ１３を運転することにより、パルセータ１０が同じように休止をおいて右回転，左回転に回動する。この状態の時に循環ポンプ１８を一方向に連続運転することにより、洗濯槽８内の水は循環ポンプ１８，リントフィルタ２０，注水口２２，洗濯槽８と連続的に循環される。洗濯３１・すすぎ３４が終了するとリントフィルタ２０を洗浄する洗浄水の水量及び水圧を増加させるために循環ポンプ１８を停止する前に排水電磁弁２３をＯＮしている。洗濯容量で６kg以下はリント４６の量も少ないので循環ポンプ１８を停止後、排水電磁弁２３をＯＮしてもよい。
【００５７】
図９および図１０は、フィルタ４５で捕集されたリント４６の自動洗浄方法の説明図である。
【００５８】
図１０は循環ポンプ１８，排水電磁弁２３、及び駆動用モータ１３の運転チャート図を示す。これらの動作は工程終了直前までは図８のチャート図で説明した内容と同じである。工程終了直前でフィルタ４５の自動洗浄が効率良くできる制御とするため循環ポンプ１８をＯＮ−ＯＦＦ運転することによりフィルタ４５を裏返ししてリント４６を剥離させて除去した後に排水電磁弁２３をＯＮして排水している。以下詳細に動作を説明する。
【００５９】
洗濯３１やすすぎ３４の運転開始と同時に循環ポンプ１８を連続運転してリント４６を捕集している。これらの工程終了間近で循環ポンプ１８の運転を連続運転からＯＮ−ＯＦＦの間欠運転とすることにより図９に示すようにリントフィルタ２０の内部に構成されているフィルタ４５は循環ポンプ１８による水流がＯＮ時にＡ側に流れ凹となり、ＯＦＦ時にＢ側に流れ凸となる凹凸の運動をする。すなわち、循環ポンプ１８がＯＮしているときはリント４６を捕集しているとき水流はＡの方向に流れ、フィルタ４５は上に凹状態となりリント４６を捕集する。また、循環ポンプ１８が休止しているときは重力により循環している洗濯水が洗濯槽８の水位まで低下し、逆流するのでこのときの流水による水圧によりフィルタ４５は凸状態となり、フィルタ４５が凹状態で捕集されたリント４６は裏返しになったフィルタ４５の表面から剥離されて、フィルタ４５の網目の詰まりを除去する。循環ポンプ１８のＯＮ時間については少なくともフィルタ４５が凹になる水流が形成される時間としている。その後、排水電磁弁２３をＯＮして排水と一緒にリント４６を機外に排出する。
【００６０】
また、上記は循環ポンプ１８を停止後、排水電磁弁２３をＯＮしているが、排水電磁弁２３をＯＮ後に循環ポンプ１８をＯＮ−ＯＦＦするとＯＦＦ時の水位の落差が大きくなるのでリント４６をよく除去できる。また、循環ポンプ１８がＯＮしているときに排水電磁弁２３をＯＮすることにより循環ポンプ１８がＯＦＦ時に循環ポンプ１８側にリント４６を含んだ洗濯水が循環ポンプ１８の出口１９に戻りにくいので効率よくリント４６を、排水ホース２４から機外に排出することができる。
【００６１】
循環ポンプ１８の運転は洗濯３１やすすぎ３４のときは連続運転しているが途中でＯＮ−ＯＦＦすることによりリント４６が除去されたフィルタ４５にリントを含んだ洗濯水やすすぎ水が通過するので捕集効率が向上する。
【００６２】
これらの運転を洗濯３１やすすぎ３４の排水３２工程毎に動作させることにより、一回の捕集量を少なくすることができるので小さいリントフィルタ２０でも多くのリント４６を捕集することができる。
【００６３】
上記本実施例によれば、洗濯水に含まれているリントを捕集し、リントフィルタを自動的に洗浄するため、リントフィルタを洗浄槽の下部に配置し、リントフィルタを構成するフィルタには半球状の網目をした繊維を使用し、網目の大きさは、洗濯物を構成している繊維が直接覗かない程度の網目の大きさとして、洗濯水が通り易くし、リントフィルタの洗浄時にはリントフィルタの上部に滞留した洗濯水が循環ポンプを停止することにより循環時とは逆方向に流れることを利用して、少ない水量及び水流，水圧でリントフィルタを洗浄するようにしたものである。これにより、フィルタを洗濯やすすぎ時に毎回リントフィルタの掃除を自動的に行う。
【００６４】
これにより、リントフィルタの洗浄はフィルタを通過したリントが除去された洗濯水により、洗濯及びすすぎの工程ごとに排水時にフィルタの洗浄を自動的に自然落下による少ない水量及び水流，水圧でフィルタを洗浄することができる。
【００６５】
また、循環ポンプをＯＮ−ＯＦＦすることにより水流の方向を繰り返し変化させることができ、これによりフィルタを裏返しにできるので機械的にフィルタ表面に付着したリントをよく除去することができる。
【図面の簡単な説明】
【００６６】
【図１】本発明の実施例に係るもので、全自動洗濯機の縦断面図を示す。
【図２】本発明の実施例に係るもので、全自動洗濯機の運転工程を示すブロック図を示す。
【図３】本発明の実施例に係るもので、リントフィルタ２０の縦断面図を示す。
【図４】本発明の実施例に係るもので、リントフィルタ２０の上部に貯水部５０を設けた部分断面図を示す。
【図５】本発明の実施例に係るもので、ドラム式洗濯機に使用したときの縦断面図を            示す。
【図６】本発明の実施例に係るもので、縦型洗濯機の部分縦断面図を示す。
【図７】本発明の実施例に係るもので、リントフィルタの縦断面図を示す。
【図８】本発明の実施例に係るもので、駆動チャート図を示す。
【図９】本発明の実施例に係るもので、リントフィルタの縦断面図を示す。
【図１０】本発明の実施例に係るもので、循環ポンプＯＮ−ＯＦＦ時の駆動チャート図を示す。
【符号の説明】
【００６７】
１，５１  外枠
２  ベース
３  脚部
４  床
５，６１  蓋
６，５２  外槽
７  吊棒
８  洗濯槽
９，６２  流体バランサ
１０  パルセータ
１１  洗濯物
１２，６３  脱水穴
１３  駆動用モータ
１４  減速機
１５  注水ホース接続口
１６  給水電磁弁
１７  給水口
１８  循環ポンプ
１９  出口
２０  リントフィルタ
２１  循環経路
２２  注水口
２３  排水電磁弁
２４  排水ホース
２５  洗濯やすすぎ水
３０  給水
３１  洗濯
３２  排水
３３  脱水
３４  すすぎ
３５  最終脱水
４０  上部ケース
４１  下部ケース
４２  凹部溝
４３  Ｏリング
４４  ネジ
４５  フィルタ
４６  リント
５０  貯水部
５３  サスペンション
５４  ヒキバネ
５５  給水ホース
５７  注水ホース
５８  洗剤投入ケース
５９  フレキシブルホース
６０  回転ドラム
６４  リフター
６５  主軸
６６  フランジ
６７  ＤＣブラシレスモータ
６８  ベローズ
【図１】
2009232922.tif 000003
【図２】
2009232922.tif 000004
【図３】
2009232922.tif 000005
【図４】
2009232922.tif 000006
【図５】
2009232922.tif 000007
【図６】
2009232922.tif 000008
【図７】
2009232922.tif 000009
【図８】
2009232922.tif 000010
【図９】
2009232922.tif 000011
【図１０】
2009232922.tif 000012